(57)【要約】【課題】  簡易な構造でありながら、取り付け中には外れにくく、取り外す際にはその作業を容易に行う。【解決手段】  本発明の服飾用留め具１の係止部材２０は、外周縁から内方に向かって切り欠かれた形状の外周縁切り欠き部２２１を複数有している。外周縁切り欠き部２２１は、外周縁切り欠き部２２１が形成されていない外周縁２２と比較して、その周縁が内方に位置し、貫通孔２１の円弧状内周壁部２１ａからの距離が短くなっている。そのため、ゼッケン等を取り付けた状態で、運動中、衣服が前後に動いた際にできる隙間は、外周縁切り欠き部２２１の周縁においては相対的に小さくなり、取り付け中に外れる可能性を低減できる。【選択図】  図１
2019000140.tif 000002
【特許請求の範囲】
【請求項１】
外端部寄りに大径の部位を備えた突起部が突設されているベース部材と対に用いられ、前記突起部が挿通される貫通孔を有し、前記ベース部材との間に取付対象を挟んで支持する服飾用留め具の係止部材であって、
外形が略円形の板状体から形成され、前記貫通孔から外周縁に至る前の中途位置までの間に形成された長溝部が円周方向に所定間隔で複数設けられ、かつ、隣接する前記各長溝部間に位置する前記貫通孔の各円弧状内周壁部に対応する位置のそれぞれに、前記外周縁から内方に向かって切り欠かれた形状の外周縁切り欠き部が形成されている
ことを特徴とする服飾用留め具の係止部材。
【請求項２】
前記外周縁切り欠き部が、前記各円弧状内周壁部とは逆向きの円弧をなす形状に形成されている請求項１記載の服飾用取付具の係止部材。
【請求項３】
前記長溝部が、円周方向に略等間隔で３つ設けられ、かつ、隣接する前記各長溝部間に位置する３つの前記円弧状内周壁部に対応する位置のそれぞれに、前記外周縁切り欠き部が形成されている請求項１又は２記載の服飾用取付具の係止部材。
【請求項４】
外端部寄りに大径の部位を備えた突起部が突設されているベース部材と、前記突起部が挿通される貫通孔を有し、前記ベース部材と対に用いられ、前記ベース部材との間に取付対象を挟んで支持する係止部材とを備えた服飾用留め具であって、
前記係止部材として、請求項１〜３のいずれか１に記載の係止部材が用いられることを特徴とする服飾用留め具。
【発明の詳細な説明】
【技術分野】
【０００１】
本発明は、運動競技に用いるゼッケン等を衣服に取り付けるための服飾用留め具の技術に関する。
【背景技術】
【０００２】
ゼッケン等を衣服に取り付ける場合、安全ピンを用いたり、縫い付けたりといった手段が用いられている。しかし、安全ピンを用いると衣服に小さな穴が開くという問題があり、縫い付けは時間がかかるし面倒であると共に、取り外しが困難であるという問題がある。このような点に鑑み、特許文献１では、ピン体部（突起部）が設けられた合成樹脂製の取付部材（ベース部材）と、ピン体部が挿入される挿入孔を備えた止め具部材（係止部材）とからなる服飾用係止具（服飾用留め具）を提案している。例えば、ゼッケンを取り付ける場合、ゼッケンを衣服の表面に重ね合わせ、その状態で、ゼッケンの角部に取付部材を位置させると共に、その反対側の衣服の裏面に止め具部材を位置させ、ピン体部が挿入孔内に挿入されるように両者を相互に近接する方向に押圧する。それにより、ピン体部の外端面及び外周面に位置するゼッケン及び衣服が、ピン体部と共に挿入孔内に挿入され、取付部材と止め具部材との対向部間挟まれ、ゼッケンが衣服に取り付けられる。
【先行技術文献】
【特許文献】
【０００３】
【特許文献１】特許第４０３８１７５号公報
【発明の概要】
【発明が解決しようとする課題】
【０００４】
特許文献１の服飾用係止具を用いることにより、衣服に穴を開けることなく、また、簡単にゼッケンを取り付けることができる。しかしながら、服飾用係止具が取り付けられる衣服やゼッケンは柔軟な紙や布帛等であるため、ランニングなどの運動中、衣服が体から離れたり、密着したりといったように前後に揺れたりする動きを生じやすい。このような動きは、挿入孔を備えた止め具部材と衣服等との間に隙間を生じさせるが、このような隙間が生じると、運動中、その隙間に手指が引っかかったり、衣服の他の部位がその隙間に引っかかったりして、止め具部材の挿入孔がピン体部の周囲から離脱し、外れてしまう可能性がある。しかるに、特許文献１の止め具部材は、円盤状に形成されているため、全周のどの位置においても同程度の隙間が生じる可能性がある。
【０００５】
その一方、特許文献１の止め具部材は、円盤状で縦断面が均一な厚さで形成されているため、そのままではゼッケンを取り外す際に取り外しにくい。そこで、特許文献１では、指の爪等を挿入する段差を外周縁に形成している。その段差に爪を差し込んで引き起こすようにして取り外すものであるが、段差を形成するために外周縁の一部を薄肉に成型する必要があり、構造が複雑である。
【０００６】
本発明は上記に鑑みなされたものであり、簡易な構造でありながら、取り付け中には外れにくく、取り外す際にはその作業を容易に行うことができる服飾用留め具の係止部材、及び、該係止部材を備えた服飾用留め具を提供することを課題とする。
【課題を解決するための手段】
【０００７】
上記課題を解決するため、本発明の服飾用留め具の係止部材は、
外端部寄りに大径の部位を備えた突起部が突設されているベース部材と対に用いられ、前記突起部が挿通される貫通孔を有し、前記ベース部材との間に取付対象を挟んで支持する服飾用留め具の係止部材であって、
外形が略円形の板状体から形成され、前記貫通孔から外周縁に至る前の中途位置までの間に形成された長溝部が円周方向に所定間隔で複数設けられ、かつ、隣接する前記各長溝部間に位置する前記貫通孔の各円弧状内周壁部に対応する位置のそれぞれに、前記外周縁から内方に向かって切り欠かれた形状の外周縁切り欠き部が形成されている
ことを特徴とする。
【０００８】
前記外周縁切り欠き部が、前記各円弧状内周壁部とは逆向きの円弧をなす形状に形成されていることが好ましい。
前記長溝部が、円周方向に略等間隔で３つ設けられ、かつ、隣接する前記各長溝部間に位置する３つの前記円弧状内周壁部に対応する位置のそれぞれに、前記外周縁切り欠き部が形成されていることが好ましい。
【０００９】
また、本発明の服飾用留め具は、外端部寄りに大径の部位を備えた突起部が突設されているベース部材と、前記突起部が挿通される貫通孔を有し、前記ベース部材と対に用いられ、前記ベース部材との間に取付対象を挟んで支持する係止部材とを備え、この係止部材として、前記の係止部材が用いられることを特徴とする。
【発明の効果】
【００１０】
本発明の服飾用留め具の係止部材は、外周縁から内方に向かって切り欠かれた形状の外周縁切り欠き部を複数有している。外周縁切り欠き部は、外周縁切り欠き部が形成されていない外周縁と比較して、その周縁が内方に位置し、貫通孔の円弧状内周壁部からの距離が短くなっている。そのため、ゼッケン等を取り付けた状態で、運動中、衣服が前後に動いた際にできる隙間は、外周縁切り欠き部が形成されていない外周縁においては相対的に大きく、外周縁切り欠き部の周縁においては相対的に小さくなる。従って、係止部材の外周で生じる隙間として狭い部分が存在する分、円盤状の係止部材と比較して、手指や衣服の他の部位等と引っかかったりする可能性が少なくなり、取り付け中に外れる可能性を低減できる。
【００１１】
また、取り外す際には、他の部位よりも内方に位置している外周縁切り欠き部に指先を挿入すると、外周縁切り欠き部とそれに隣接する部位付近との角部に指先ないし爪が容易に引っかかるため、爪を挿入するための段差を意図的に設ける必要がなく、構造が簡易である。
【図面の簡単な説明】
【００１２】
【図１】図１（ａ）は、本発明の実施形態に係る服飾用留め具を示した斜視図であり、図１（ｂ）は、ベース部材と係止部材を取り外した状態の斜視図である。
【図２】図２（ａ）は、上記実施形態に係る服飾用留め具で用いたベース部材の平面図であり、図２（ｂ）は、ベース部材の側面図である。
【図３】図３（ａ）は、上記実施形態に係る服飾用留め具で用いた係止部材の上面図であり、図３（ｂ）は、その正面図であり、図３（ｃ）は、その底面図であり、図３（ｄ）はその側面図である。
【図４】図４は、上記実施形態に係る服飾用留め具で用いた係止部材の斜視図である。
【図５】図５は、図４の係止部材の正面図である。
【図６】図６は、ベース部材に係止部材を装着した状態の側面図である。
【図７】図７は、上記実施形態に係る服飾用留め具を用いて、ゼッケンを衣服に取り付ける方法を説明するための図である。
【図８】図８は、ゼッケンを衣服に取り付けた状態を示す断面図である。
【図９】図９は、ゼッケンを衣服に取り付けたときの状態を係止部材側から見た図である。
【発明を実施するための形態】
【００１３】
以下、図面に示した実施形態に基づき本発明を説明する。図１〜図６は、本発明の実施形態に係る服飾用留め具１を説明するための図であり、これらの図に示したように、服飾用留め具１は、ベース部材１０と係止部材２０を有して構成される。
【００１４】
ベース部材１０は、合成樹脂から形成され、押さえ部１１と突起部１２とを有してなる（図１，図２参照）。押さえ部１１は、例えば円盤状に形成され、裏面１１ａに突起部１２が突設されている。押さえ部１１は、例えば、図７のようにゼッケン１００を衣服２００に取り付けた場合、ゼッケン１００の表面に位置するが、裏面１１ａはゼッケン１００に接する面となる。すなわち、裏面１１ａと後述の係止部材２０との間で取付対象であるゼッケン１００及び衣服２００を挟み込むため、できるだけ広い面積でゼッケン１００に当接するように裏面１１ａは平坦に形成されていることが好ましい。
【００１５】
一方、ベース部材１０の表面１１ｂは、人の目に触れる面となる（図７参照）。よって、この表面１１ｂには模様を施したり、競技大会名、スポンサー名等を表示したりする装飾面として利用することができる。装飾の施し方は任意であり、直接印刷したり、予め装飾を施したシール部材を貼着したりして施すことができる。また、表面１１ｂは、必ずしも平坦になっていなくてもよく、全体に丸みを帯びた形状等であってもよい。また、薄手で柔軟な合成樹脂やゴム等を貼り付けて、手指にとったときに柔らかな感触が伝わるような構成とすることもできる。
【００１６】
突起部１２は、上記のように平坦面である裏面１１ａの略中央部に突設されている。突起部１２は、後述する係止部材２０の貫通孔２１に挿入された後、容易に離脱しないように、外端部１２ａ寄りの部位に貫通孔２１の直径より大径の部位が形成されており、貫通孔２１に挿入された後はこの大径の部位によって突起部１２からは所定以上の外力が加わらない限り離脱しないようになっている。本実施形態では、図２（ｂ）に示したように、突起部１２は、外端部１２ａほど太く形成され、押さえ部１１との境界である基部１２ｂ寄りに向かうに従って次第に細くなり、中途位置からは貫通孔２１の直径以下となるように形成されている。
【００１７】
係止部材２０は、図１、図３〜図５に示したように、外形が略円形の合成樹脂製の板状体から形成され、略中央部には、上記の突起部１２が挿通される貫通孔２１が厚み方向に貫通形成されている。また、係止部材２０の貫通孔２１から外周縁２２に至る前の半径方向に沿った中途位置までの間には、長溝部２３が円周方向に所定間隔で複数設けられている。本実施形態では長溝部２３を円周方向に等間隔で３つ設けており、隣接する各長溝部２３，２３間が、貫通孔２１の内周面である円弧状内壁部２１ａを有する舌片部２４となっている。従って、本実施形態では３つの舌片部２４を有していることになり、突起部１２を貫通孔２１に挿入しようとすると、外端部１２ａ寄りが貫通孔２１の直径よりも大きいため、３つの舌片部２４が押されて突起部１２の挿入方向と反対方向に素材の弾性によって僅かに反り返るように変形する。その後、さらに挿入して大径の部位を通過すると、舌片部２４がその復元力により元に戻ろうとして、円弧状内壁部２１ａが突起部１２の外周面に接するようになる。
【００１８】
長溝部２３を例えば円周方向に９０度間隔で４つ設けた構成とすると、各長溝２３，２３間の舌片部２４の円周方向に沿った幅が、舌片部２４が３つの場合よりも狭くなる。従って、係止部材２０が同じ素材、同じ厚さであれば、舌片部２４が３つの場合の方が、突起部１２に押圧された際の復元力が高くなる。そのため、突起部１２が抜けにくくなる。よって、長溝部２３は、円周方向に３つとすることが好ましい。
【００１９】
また、長溝部２３の半径方向の長さは限定されるものではないが、外周縁２２に近づき過ぎると、貫通孔２１が広がりやすく舌片部２４の復元力が低下する。同様に、長溝部２３の幅（円周方向に沿った幅）も限定されるものではないが、広すぎると、やはり貫通孔２１が広がりやすくなる。従って、長溝部２３の半径方向の長さや幅も、舌片部２４の復元力が所定以上となることを考慮して決定される。半径方向の長さは、貫通孔２１から外周縁２２との中間位置前後とすることが好ましく、長溝部２３の幅（円周方向に沿った幅）は、係止部材２０全体の最大直径の１／１０〜１／２０程度とすることが好ましい。
【００２０】
係止部材２０は、さらに、各長溝部２３，２３間に位置する貫通孔２１の各円弧状内周壁部２１ａ，２１ａに対応する外周縁２２の位置のそれぞれに、外周縁２２から内方に向かって切り欠かれた形状の外周縁切り欠き部２２１が形成されている。つまり、係止部材２０は、全体として平面視で円形であるが、外周縁切り欠き部２２１の位置において、平面視で内方に凹んだ形状となっている。外周縁切り欠き部２２１の形状としては、略三角形状、略台形状等であってもよいが、図３（ｂ）に示すように、各円弧状内周壁部２１ａとは背中合わせとなるような逆向きの円弧をなす形状に形成されていることが好ましい。後述のように、外周縁切り欠き部２２１に指の爪を挿入して取り外す際に、円弧状の方が爪の形状によりフィットし、あたり感が柔らかく、外しやすい。
【００２１】
また、係止部材２０は、貫通孔２１にベース部材１０の突起部１２を挿入した際に、突起部１２の外端部１２ａが該貫通孔２１から外方に突出した方が両者の系合力が高くなる。従って、係止部材２０の厚さは、突起部１２の押さえ部１１からの突出高さより薄いものであることが好ましい。
【００２２】
本実施形態の服飾用留め具１は次のように使用される。例えば、図７及び図８に示したように、ゼッケン１００を衣服２００に取り付ける場合には、まず、ゼッケン１００を例えば衣服２００の胸元付近に位置させる。ゼッケン１００には、通常、四隅に取り付け孔１００ａが貫通形成されているため、この取り付け孔１００ａの延長上であって、ゼッケン１００の表側にベース部材１０を位置させる。そして、ベース部材１０の突起部１２を取り付け孔１００ａに挿通させて衣服２００の対応部位２００ａを押圧する。この際、衣服２００の裏面側には、係止部材２０を位置させておく。ベース部材１０の突起部１２が衣服２００を押圧することにより、該突起部１２の外端部１２ａ及び外周面は衣服２００の対応部位２００ａが重なった状態で裏面側に突出する。この状態で、突起部１２を、衣服２００の対応部位２００ａと共に、係止部材２０の貫通孔２１内に挿通させる。それにより、図８に示したように、ゼッケン１００は、突起部１２に取り付け孔１００ａが支持されると共に、衣服２００を介して、ベース部材１０の押さえ部１１の裏面１１ａと係止部材２０との間に挟まれ、該衣服に取り付けられる。
【００２３】
なお、ゼッケン１００には、取り付け孔１００ａが形成されていない場合もあるが、その場合には、突起部１２に押圧される部位が、衣服２００の対応部位２００ａと一緒に、該突起部１２の外端部１２ａ及び外周面に重なった状態で、衣服２００の裏面側に突出する。そして、係止部材２０の貫通孔２１が、その外周囲にはめられることで、ゼッケン１００は衣服２００に取り付けられる。
【００２４】
本実施形態によれば、突起部１２（衣服２００の対応部位２００ａやゼッケン１００が突起部１２の外端面１２ａ及び外周面に重なっている場合も含む）は、外端面１２ａ側が貫通孔２１より大径に形成されているため、係止部材２０の貫通孔２１に挿入される際、舌片部２４を衣服２００の裏面側に反り返るように押圧する。それにより、舌片部２４の復元力が働き、円弧状内壁部２１ａが突起部１２を外方から押圧するような力が作用する。その結果、係止部材２０は、ベース部材１０の突起部１２にしっかりと係合する。この際、本実施形態では、長溝部２３及び舌片部２４が３つであるため、４つ設けた場合よりも、突起部１２（衣服２００の対応部位２００ａやゼッケン１００が突起部１２の外端面１２ａ及び外周面に重なっている場合も含む）を外方から押圧する力が強く作用し、４つ設けた場合よりも外れにくい。
【００２５】
突起部１２が衣服２００の対応部位２００ａと共に貫通孔２１に挿通され、係止部材２０とベース部材１０が一体になった状態を、該係止部材２０側から見た図が図９である。この図に示したように、本実施形態では、該係止部材２０の外周縁に３つの外周縁切り欠き部２２１が形成されている。従って、外周縁切り欠き部２２１が形成されている部位よりも、外周縁切り欠き部２２１に隣接する部位２２２の接触範囲はより外方までとなっている。そのため、運動中、衣服２００が前後に動いた場合には、外周縁切り欠き部２２１に隣接する部位２２２の方が、外周縁切り欠き部２２１に相当する部位よりも突起部１２から離脱する方向への力を強く受ける。逆に言えば、外周縁切り欠き部２２１を有していない従来の円形の係止部材の場合には、衣服２００が前後に動くことにより貫通孔回りの部位にかかる力は、円周方向の全周に亘ってほぼ同じにかかり、突起部１２から離脱する方向への力が全体にほぼ均等に作用する。また、手指が引っかかる可能性も、従来の円形のものは全周に亘り同等であるのに対し、本実施形態では外周縁切り欠き部２２１に相当する部位での引っかかりが少なくなる。従って、本実施形態によれば、外周縁切り欠き部２２１を有することにより、衣服２００に取り付けたときの係合部材２０のベース部材１０からの脱落が抑制される。
【００２６】
また、競技終了後、ゼッケン１００を衣服２００から取り外す際には、外周縁切り欠き部２２１に指の爪を近づけて引き起こすことができる。本実施形態では、外周縁切り欠き部２２１が内方に湾曲し、爪ないし指先の形状にフィットするため係止部材２０の外周縁を引き起こす際に強い当たり感を感じない。また、外周縁切り欠き部２２１の部位とそれに隣接する部位２２２との角部に指先ないしは爪を当てることが容易であり、爪を挿入するための段差がなくても、その角部を引き起こしのきっかけとして使用して、係止部材２０の引き起こしを容易に行うことができる。
【００２７】
なお、上記実施形態では、ゼッケン１００を衣服２００に取り付ける場合を例に挙げて説明しているが、本発明の服飾用留め具は、これに限らず、ワッペン等、衣服２００に穴をあけることなく一時的に取り付けようとするものであれば種々のものの取り付けに適用可能である。
【符号の説明】
【００２８】
１  服飾用留め具
１０  ベース部材
１１  押さえ部
１２  突起部
２０  係止部材
２１  貫通孔
２１ａ  円弧状内壁部
２２  外周縁
２２１  外周縁切り欠き部
２３  長溝部
２４  舌片部
１００  ゼッケン
２００  衣服
【図１】
2019000140.tif 000003
【図２】
2019000140.tif 000004
【図３】
2019000140.tif 000005
【図４】
2019000140.tif 000006
【図５】
2019000140.tif 000007
【図６】
2019000140.tif 000008
【図７】
2019000140.tif 000009
【図８】
2019000140.tif 000010
【図９】
2019000140.tif 000011